(57)【要約】      （修正有）【課題】スラリーの利用効率を向上可能な研磨装置を提供する。【解決手段】上面に研磨パッド１２が設けられて回転駆動される定盤１０と、定盤１０に対して基板Ｗを相対移動させる基板移動機構３０と、ノズル６３により研磨パッドにスラリーを供給するスラリー供給装置を備え、スラリーを供給しながら基板Ｗの研磨加工を行う研磨装置において、研磨パッド１２からこぼれ出たスラリーを受け止めるスラリー受容溝１１０と、スラリー受容溝１１０に受け止められたスラリーをスラリー回収路１３０及びスラリー供給路１２０を介して研磨パッド１２の上面中央に流出させる液送ポンプ１５０とを備え、基板Ｗの研磨加工中にスラリーが定盤１０内を循環するように構成する。【選択図】図１
2013173225.tif 000002
【特許請求の範囲】
【請求項１】
上面に研磨パッドが設けられ下方に延びる回転軸廻りに回転駆動される定盤、前記研磨
パッドの上面に基板を当接させた状態で前記定盤に対して前記基板を移動させる基板移動
機構、及び前記研磨パッドの上面にスラリーを供給するスラリー供給装置を備え、スラリ
ーの存在下において前記定盤と前記基板との相対移動により前記基板の研磨加工を行うよ
うに構成された研磨装置において、
前記定盤に、
前記研磨パッドの外周側にこぼれ出たスラリーを受け止めるスラリー受容溝と、
前記定盤の上面中央部に開口を有して下方に延びるスラリー供給路と、
前記スラリー受容溝と前記スラリー供給路とを結んで形成されたスラリー回収路と、
前記スラリー受容溝に受け止められたスラリーを前記スラリー回収路及び前記スラリー
供給路を介して前記開口から流出させる液送手段とを備え、
前記基板の研磨加工中に、前記スラリー受容溝に受け止められたスラリーが前記液送手
段により前記開口から前記研磨パッドの上面に供給され、前記定盤においてスラリーが循
環するように構成したことを特徴とする研磨装置。
【発明の詳細な説明】
【技術分野】
【０００１】
本発明は、スラリーの存在下において定盤と基板とを相対移動させて基板の研磨加工を
行う研磨装置に関するものである。
【背景技術】
【０００２】
上記のような研磨装置として、シリコン基板やガラス基板等の表面を平坦に研磨加工す
るＣＭＰ装置（Chemical Mechanical Polishing Machine）が広く知られている。ＣＭＰ
装置は、例えば、上面に研磨パッドが設けられて下方に延びる回転軸廻りに回転駆動され
る定盤と、研磨パッドに基板を当接させた状態で基板を移動させる基板移動機構と、研磨
パッドの上面にスラリーを供給するスラリー供給装置とを備え、スラリー供給装置から研
磨パッドの上面にスラリーを供給し、スラリーの存在下で定盤と基板とを相対移動させて
基板表面を平坦に研磨加工するように構成される。
【０００３】
ここで、スラリー供給装置からパッド上面に供給されたスラリーは、定盤の回転に伴う
遠心力によってパッド上面を中央寄りから外周方向に移動し、研磨パッドの外周端部から
流れ落ちて定盤から排除される。そのため、スラリー供給装置から供給されたスラリーの
なかには、何ら研磨加工に寄与することなく、単に研磨パッドの上面を流れてそのまま排
除されてしまうものも多く、研磨パッドに供給されたスラリーのうち実際に研磨加工に寄
与したスラリーの割合、すなわちスラリーの利用効率は、一般的には１０％にも満たない
と言われている。そこで、定盤から流れ落ちたスラリーを回収して未使用状態のスラリー
（フレッシュスラリーという）が貯留されたタンクに戻し、スラリー供給装置のポンプに
よって再び研磨パッドに供給する循環システムを備えた研磨装置も考案されている（例え
ば、特許文献1を参照）。
【先行技術文献】
【特許文献】
【０００４】
【特許文献１】米国特許第６１５９０８２号明細書
【発明の概要】
【発明が解決しようとする課題】
【０００５】
しかしながら、上記のような従来の研磨装置では、研磨パッド上に供給されたスラリー
を回収し循環させるための構成が複雑であり、研磨装置全体が大型化するという課題があ
った。本発明は、上記課題に鑑みて成されたものであり、装置構成を複雑化、大型化する
ことなくスラリーの利用効率を向上可能な研磨装置を提供することを目的とする。
【課題を解決するための手段】
【０００６】
上記目的達成のため、本発明は、上面に研磨パッドが設けられ下方に延びる回転軸廻り
に回転駆動される定盤、研磨パッドの上面に基板を当接させた状態で定盤に対して基板を
移動させる基板移動機構（例えば実施形態における基板キャリア２０、キャリア移動機構
３０等）、及び研磨パッドの上面にスラリーを供給するスラリー供給装置を備え、スラリ
ーの存在下において定盤と基板との相対移動により基板の研磨加工を行うように構成され
た研磨装置において、前記定盤に、研磨パッドの外周側にこぼれ出たスラリーを受け止め
るスラリー受容溝と、定盤の上面中央部に開口を有して下方に延びるスラリー供給路と、
スラリー受容溝とスラリー供給路とを結んで形成されたスラリー回収路と、スラリー受容
溝に受け止められたスラリーをスラリー回収路及びスラリー供給路を介して開口から流出
させる液送手段（例えば実施形態における液送ポンプ１５０）とを備え、基板の研磨加工
中に、スラリー受容溝に受け止められたスラリーが液送手段により開口から研磨パッドの
上面に供給され、定盤においてスラリーが循環するように構成される。
【発明の効果】
【０００７】
本発明によれば、スラリー受容溝に受け止められたスラリーが定盤内で循環される構成
のため、装置構成を複雑化、大型化することなくスラリーの利用効率を向上させた研磨装
置を提供することができる。
【図面の簡単な説明】
【０００８】
【図１】スラリー循環機構の概要構成を示す側断面図である。
【図２】上記定盤の平面図である。
【図３】図１に示すスラリー受容溝の部分を拡大した側断面図である。
【図４】スラリー供給装置により研磨パッド上面に供給されるスラリーの流量Ｑ1、液送ポンプにより研磨パッド上面に供給されるスラリーの流量Ｑ2、及びこれらを合計した研磨パッド上面への合計供給量Ｑallの関係を表す、第１実施態様のグラフである。
【図５】スラリーの流量Ｑ1、Ｑ2、Ｑallの関係を表す第２実施態様のグラフである。
【図６】スラリーの流量Ｑ1、Ｑ2、Ｑallの関係を表す第３実施態様のグラフである。
【図７】スラリー受容溝の他の構成例を示す側断面図である。
【図８】本発明を適用した研磨装置の概要構成を示す図面である。
【発明を実施するための形態】
【０００９】
以下、本発明を実施するための形態について、図面を参照しながら説明する。本発明を
適用した研磨装置１の概略構成（側面図）を図８に示す。研磨装置１は、上面に研磨パッ
ド１２が設けられ下方に延びるスピンドル廻りに回転駆動される定盤１０、下面にガラス
基板やシリコン基板、半導体ウエーハ等の基板Ｗを吸着保持して回転駆動される基板キャ
リア２０を有し、保持した基板Ｗを研磨パッド１２に押接して水平揺動させるキャリア移
動機構３０、研磨加工に際して定盤１０にスラリーを供給するスラリー供給装置６０など
を備えて構成される。
【００１０】
研磨装置１の各部の作動は、制御装置８０によって制御され、研磨パッド１２の上面に
スラリーを供給し、定盤１０及び基板キャリア２０を相対回転させて基板Ｗを研磨パッド
１２に当接させて加圧し、スラリー存在下で基板Ｗと研磨パッド１２とを相対移動（基板
キャリア２０の回転及び揺動並びに定盤１０の回転）させて、基板表面を平坦に研磨加工
する。研磨装置１には、ダイヤモンド砥粒等が固着されたドレス工具７２を研磨パッドに
当接させ、研磨パッドの表面をドレッシングするドレス機構７０が設けられている。
【００１１】
定盤１０は、全体として、加工対象の基板Ｗよりも直径が大きく厚肉円盤状のパッド定
盤１１と、このパッド定盤１１の上面に接着や粘着等の手段により装着された研磨パッド
１２と、パッド定盤１１から鉛直下方に延びパッド定盤に回転駆動力を伝達するスピンド
ル１３などからなり、研磨パッド１２の上面１２ｕが上向きの水平姿勢で配設される。
【００１２】
定盤１０と隣接してキャリア移動機構３０が設けられ、その先端部に基板キャリア２０
が設けられている。基板キャリア２０は、例えば真空吸着により基盤Ｗを着脱自在に保持
する円盤状のチャック２１と、チャック２１に保持された基板を研磨パッド１２に押しつ
けて加圧する加圧機構、チャック２１に回転駆動力を伝達するスピンドル２３などからな
り、基板Ｗが下向きの水平姿勢で研磨パッド１２と対向して配設される。キャリア移動機
構３０は、定盤１０に対して水平揺動可能に設けられたアーム３１を有し、アーム３１の
先端から下方に突出するスピンドルホルダに基板キャリア２０が設けられている。
【００１３】
スラリー供給装置６０は、加工対象に応じた種々の基板研磨用のスラリーや洗浄用の純
水（リンス液）などを貯留し、制御装置８０からの指令信号に基づいて上記スラリー等を
供給するスラリー供給ユニット６１と、このスラリー供給ユニット６１から送出されたス
ラリー等を定盤１０に導く配管経路であるライン６２などを備えて構成される。ライン６
２の先端側は、定盤１０の回転中心近傍まで延設されて供給位置の調整が可能なノズル６
３が設けられており、スラリー供給ユニット６１から送出された未使用状態のスラリー（
フレッシュ・スラリー）が研磨パッド１２の上方から供給されるようになっている。
【００１４】
一方、定盤１０に、スラリーを定盤内で循環させるスラリー循環機構１００が設けられ
ている。図１に定盤１０の回転軸心を通る鉛直面で切断したスラリー循環機構１００の概
要構成図（図２中Ｉ−Ｉ矢視の側断面図）を示し、図２に定盤１０の平面図を示す。スラ
リー循環機構１００は、定盤１０の外周側に位置し研磨パッド１２から外周側にこぼれ出
たスラリーを受け止めるスラリー受容溝１１０と、定盤１０の上面中央部に吐出開口１２
１を有し下方に延びるスラリー供給路１２０と、スラリー受容溝１１０とスラリー供給路
１２０とを結んで形成されたスラリー回収路１３０と、スラリー受容溝１１０に受け止め
られたスラリーをスラリー回収路１３０及びスラリー供給路１２０を介して吐出開口１２
１から流出させる液送ポンプ１５０とを備え、基板Ｗの研磨加工中に、スラリー受容溝１
１０に受け止められたスラリーが液送ポンプ１５０により吐出開口１２１から研磨パッド
１２の上面１２ｕに供給され、定盤１０においてスラリーが循環するように構成される。
【００１５】
本実施形態に示すスラリー受容溝１１０は、このスラリー受容溝１１０の部分を拡大し
た側断面図を図３に示すように、パッド定盤１１の上面に装着された研磨パッド１２の外
周面１２ａと、パッド定盤１１の外周を囲んで設けられた円筒状の飛散防止リング１４０
の内周面１４０ａと、これらの間に露出するパッド定盤１１の上面１１ｕに囲まれて、平
面視において円環状、側断面視において凹溝状に形成される。
【００１６】
飛散防止リング１４０は、図示省略するリング昇降機構によりパッド定盤１１に対して
上下に移動可能に設けられており、この飛散防止リング１４０の上端１４０ｕが研磨パッ
ド１２の上面１２ｕよりも上方に位置する第１位置と、研磨パッドの上面１２ｕよりも低
い第２位置とに配置可能になっている。この飛散防止リング１４０の第１位置Ｐ1と第２
位置Ｐ2（Ｐ21,Ｐ22）については後に詳述するが、基板Ｗの研磨加工時には、飛散防止リ
ング１４０が第１位置Ｐ1に配置され、研磨パッド１２の外周端部からスラリー受容溝１
１０に流れ落ちるスラリーのみならず、遠心力によって研磨パッド１２の外周端部から水
平方向に飛散するスラリーが飛散防止リング１４０の内周面１４０ａに受け止められてス
ラリー受容溝１１０に流れ込むようになっている。また、研磨パッドの上面に洗浄液を供
給して基板のリンス洗浄を行う際、及び研磨パッド１２のドレッシングを行う際に、飛散
防止リング１４０が第２位置に配設される。
【００１７】
スラリー供給路１２０は、定盤１０の上面中央部に研磨パッド１２を貫通して開口形成
された吐出開口１２１を有し、この吐出開口１２１に繋がってパッド定盤１１に下方に延
びて形成されている。パッド定盤１１の内部には、スラリー受容溝１１０とスラリー供給
路１２０とを結ぶスラリー回収路１３０が設けられている。スラリー回収路１３０は、円
環溝状のスラリー受容溝１１０の底面から下方に延びる円孔状のスラリー導入穴１３１と
、このスラリー導入穴１３１と中心のスラリー供給路１２０とを結ぶ円孔状のスラリー集
合路１３２とからなり、本実施形態においては複数（図２において６本）のスラリー回収
路１３０をパッド定盤１１に放射状に設けた構成例を示す。なお、スラリー回収路１３０
は、例えば、パッド定盤１１の外周端面から中心に向けて円孔を穿接し、スラリー導入穴
１３１とスラリー供給路１２０とを連通させた後、外周端面の開口部をプラグ等により閉
塞して構成することができ、あるいはロストワックス鋳造等により外周端面にプラグを設
けることなく図示形態に形成することができる。
【００１８】
液送ポンプ１５０は、定盤１０の中心に位置してスラリー供給路１２０とスラリー回収
路１３０との連結部に設けられており、スラリー回収路１３０に流入したスラリーを吸引
してスラリー供給路１２０に吐出し、吐出開口１２１から（すなわち研磨パッド１２の下
側から）上向きに流出させて、研磨パッド１２の上面中央部に供給する。液送ポンプ１５
０には、このポンプの吐出流量を検出する流量計が付設されており、流量計の検出信号が
スピンドル１３に設けられたロータリージョイントを介して制御装置８０に入力され、制
御装置８０はロータリージョイントを介してポンプモータの回転制御を行う。液送ポンプ
１５０の吐出口と吐出開口１２１との間には、ドレッシングにより生じた研磨パッドの破
断片やドレス工具７２から脱落したダイヤモンド砥粒、スラリーの凝集粒子等を除去する
フィルター１５５が設けられている。
【００１９】
液送ポンプ１５０の下方には、上端部がスラリー回収路１３０と繋がって下方に延び、
他端側がスピンドル１３から出て外部に導出されるスラリー排出路１６０が形成されると
ともに、このスラリー排出路１６０を開閉する排出路開閉弁１６５が設けられている。
【００２０】
次に、このように構成される研磨装置１の作用について説明する。まず、研磨加工時に
おいては、定盤１０及び基板キャリア２０が回転駆動され、基板キャリアに２０保持され
た基板Ｗがキャリア移動機構３０により定盤１０の上方に移動されて研磨パッド１２に押
接され、所定条件で左右に揺動される。このとき、スラリー供給装置６０では、加工条件
において設定された種別のスラリーが当該設定に基づく流量でスラリー供給ユニット６１
から送出され、ライン６２及びノズル６３を介して定盤１０の上方から研磨パッド１２の
上面の中央近傍に供給される。また、定盤１０に設けられた飛散防止リング１４０は、上
端１４０ｕが研磨パッドの上面１２ｕよりも高い第１位置Ｐ1に設定される。
【００２１】
研磨パッド１２の上面中央近傍に供給されたスラリーは、定盤１０の回転に伴う遠心力
によって研磨パッドの上面１２ｕを外周方向に移動し、その移動過程において５〜１０％
程度のスラリーが基板Ｗと研磨パッド１２との摺接部に介在して基板の研磨加工（ＣＭＰ
加工）に寄与する。こうして研磨加工に寄与したスラリー及び研磨加工に寄与することな
く研磨パッドの上面１２ｕを移動したスラリーは、使用するスラリーの粘度や単位時間当
たりの供給流量、定盤１０の回転速度、研磨パッド１２の性状などに応じて概略定まる所
定時間で研磨パッド１２の外周縁部に到達し、ついには研磨パッド１２の外周端部から流
れ落ちてスラリー受容溝１１０に流入する。
【００２２】
ここで、基板Ｗの研磨加工時には、飛散防止リング１４０は、リングの上端１４０ｕが
研磨パッドの上面１２ｕよりも高い第１位置Ｐ1に設定されている。そのため、例えば定
盤１０の回転に伴う研磨パッド外周縁部の周速度が大きく、研磨パッド１２の外周端部に
到達したスラリーの多くが遠心力によって水平に飛び散るような場合であっても、飛散し
たスラリーが飛散防止リングの内壁面１４０ａに受け止められてスラリー受容溝１１０に
流れ込む。従って、定盤の回転速度やスラリーの粘度等（加工条件）によらず、常に高い
確率でスラリーを回収することができる。
【００２３】
スラリー受容溝１１０に流れ込んだスラリーは、スラリー受容溝１１０を徐々に満たし
溝底面（１１ｕ）に形成されたスラリー導入穴１３１からスラリー回収路１３０に流入す
る。複数形成されたスラリー導入穴１３１，１３１…をスラリーが塞ぐようになると、各
スラリー回収路１３０内のスラリーに作用する液送ポンプ１５０の吸引力が大きくなり、
各スラリー集合路１３２，１３２…を介して吸い上げられたスラリーが液送ポンプ１５０
からスラリー供給路１２０に吐出され、フィルター１５５により濾過されて、吐出開口１
２１から研磨パッド１２の上面中央部に流出する。
【００２４】
吐出開口１２１から研磨パッド１２の上面中央部に流出したスラリー（循環スラリーと
いう）は、定盤１０の回転に伴う遠心力によって再び研磨パッドの上面１２ｕを外周方向
に流れ、一定割合のスラリーが研磨加工に寄与したのち研磨パッド１２の外周端部からス
ラリー受容溝１１０に流入する。このように、スラリー循環機構１００では、スラリー供
給装置６０により供給されたスラリーが、定盤１０内の短い経路で循環し複数回研磨パッ
ド１２の上面を移動する。そのため、スラリーの性状変化や不純物の混入等の影響を受け
にくく、かつ、研磨加工に寄与するスラリーの寄与率を高めることができる。
【００２５】
ところで、液送ポンプ１５０の回転数を一定とした場合には、スラリー受容溝１１０が
スラリーで一定程度満たされるまで（全てのスラリー導入穴１３１，１３１…がスラリー
により塞がれるようになるまで）、吐出開口１２１から研磨パッド１２の上面に戻るスラ
リーの流量が増加し、スラリー受容溝１１０が全周にわたってスラリーで満たされるよう
になると循環スラリーの流量が定量化する。このように、スラリー供給装置６０によるフ
レッシュ・スラリーの供給が開始されてから、スラリー循環機構１００による循環スラリ
ーの供給が始まるまでに所定時間を要し、その後循環スラリーの供給量が定量化するまで
に別の所定時間を要する。既述したように、上記所定時間等は使用するスラリーの種別や
流量、定盤１０の回転速度などによって変化する。そして、研磨パッド１２の上面を流れ
るスラリーの流量が変化すると、研磨加工の加工条件が変化する。
【００２６】
そこで、研磨装置１においては、研磨パッド１２の上面を流れるスラリーの流量が略一
定になるように構成されている。すなわち、研磨装置１では、スラリー供給装置６０によ
り研磨パッド１２の上面に供給されるスラリーの流量（単位時間当たりの供給量）Ｑ1と
、液送ポンプ１５０により研磨パッド１２の上面に供給されるスラリーの流量（単位時間
当たりの供給量）Ｑ2とを合計した研磨パッド上面への合計供給量Ｑall＝Ｑ1＋Ｑ2が略一
定となるように、スラリー供給装置６０によるスラリーの供給量Ｑ1が制御される。
【００２７】
この関係を例示したグラフを図４に示す。このグラフにおいて、縦軸が研磨パッド１２
の上面に供給されるスラリーの単位時間当たりの供給量Ｑ、横軸が時間ｔである。図示す
るように、定盤１０が回転起動しスラリー供給装置６０によるフレッシュ・スラリーの供
給が開始された時刻ｔ0から時刻ｔ1までの初期状態においては、スラリーが研磨パッド上
を外周方向に移動する移動過程にあり、スラリー循環機構１００による循環スラリーの供
給は始まっていない。そのため、この初期状態において研磨パッド１２の上面に供給され
るスラリーは、スラリー供給装置６０により供給されるフレッシュ・スラリーのみであり
、スラリー供給ユニット６１から研磨パッド１２の上面に送り出されるスラリーの単位時
間当たりの供給量Ｑ1は一定に保持される。
【００２８】
スラリー供給装置６０によるフレッシュ・スラリーの供給が開始されて所定時間が経過
した時刻ｔ1以降では、初期に供給されたスラリーが研磨パッド上を外周端部まで移動し
てスラリー受容溝１１０に溜まりはじめ、徐々に液送ポンプ１５０による循環スラリーの
単位時間当たりの供給量Ｑ2が増加する（時刻ｔ1→ｔ2）。そのため、時刻ｔ1から時刻ｔ
2の中期状態において研磨パッド１２の上面に供給されるスラリーの単位時間当たりの供
給量Ｑは、スラリー供給ユニット６１から供給されるフレッシュ・スラリーの単位時間当
たりの供給量Ｑ1と、液送ポンプ１５０から吐出される循環スラリーの単位時間当たりの
供給量Ｑ2の合計値となる。
【００２９】
ここで、スラリー供給ユニット６１から供給されるスラリーの単位時間当たりの供給量
Ｑ1は、加工条件に基づいて制御装置８０から出力される制御値によって制御されており
既知である。また、液送ポンプ１５０から吐出される循環スラリーの単位時間当たりの供
給量Ｑ2は、液送ポンプ１５０に付設された流量計から制御装置８０に入力される検出信
号により把握される。そこで、制御装置８０は、液送ポンプ１５０の流量計から入力され
る循環スラリーの流量Ｑ2が増加するのに伴い、スラリー供給ユニット６１から送出され
るフレッシュ・スラリーの供給流量Ｑ1を減少させ、研磨パッド１２の上面に供給される
合計供給量Ｑall＝Ｑ1＋Ｑ2が略一定となるように、スラリー供給装置６０を制御する。
【００３０】
そして、スラリー循環機構１００による循環スラリーの供給が始まって所定時間が経過
した時刻ｔ2以降では、液送ポンプ１５０から吐出される循環スラリーの単位時間当たり
の供給量Ｑ2が、この液送ポンプ１５０について設定された流量で安定する。図４に示す
実施態様では、安定時における液送ポンプ１５０の流量Ｑ2が、初期状態におけるスラリ
ー供給ユニット６１の流量Ｑ1と同一（Ｑ2＝Ｑ1）となるように液送ポンプ１５０のポン
プ回転数を設定している。そのため、液送ポンプ１５０の流量Ｑ2が安定した時刻ｔ2以降
の後期状態では、スラリー供給ユニット６１からのスラリー供給が停止され、スラリー循
環機構１００によって循環される循環スラリーによって基板Ｗの研磨加工が行われる。こ
れにより、フレッシュ・スラリーの使用量を低減できるとともに、研磨加工に寄与するス
ラリーの寄与率をさらに高めることができる。
【００３１】
なお、上記記載からも明らかなように、液送ポンプ１５０による循環スラリーの流量は
適宜変更して設定することができる。図５及び図６は、液送ポンプ１５０の作動を制御す
ることにより、研磨パッド１２の上面に供給されるスラリーの供給状態を、図４に示す実
施態様と異なる設定にした構成例である。
【００３２】
まず、図５に示す実施態様では、前述した時刻ｔ1を経過した時刻ｔ11に、液送ポンプ
１５０を回転起動する。すなわち、スラリー供給装置６０によるフレッシュ・スラリーの
供給が開始されて所定時間が経過し、初期に供給されたスラリーがスラリー受容溝１１０
にある程度溜まりはじめた段階で、液送ポンプ１５０が回転起動される。時刻ｔ11の回転
起動時におけるポンプ回転は低速回転とされ、時刻ｔ12までポンプ回転数が緩やかに上昇
して（時刻ｔ11→ｔ12）、時刻ｔ12以降で循環スラリーの単位時間当たりの供給量Ｑ2が
、スラリー供給装置６０によるフレッシュ・スラリーの初期流量と同一となるように制御
される。このような構成によれば、フレッシュ・スラリーの供給容量を確保できるととも
に、無効な電力消費を低減でき、また送ポンプ１５０を安定的にポンプ作動させることが
できる。
【００３３】
図６に示す実施態様は、図５に示した実施態様と同様に、時刻ｔ1を経過した時刻ｔ21
に低速で液送ポンプ１５０を回転起動し、時刻ｔ22までの任意時間でポンプ回転数を規定
回転数まで上昇させ（時刻ｔ21→ｔ22）、時刻ｔ22以降、規定回転数で定速運転される。
この規定回転数における液送ポンプ１５０の吐出流量、すなわち時刻ｔ22以降の循環スラ
リーの単位時間当たりの供給量Ｑ2は、スラリー供給装置６０によるフレッシュ・スラリ
ーの初期流量よりも低く、例えば７０〜９０％程度に設定される。そのため、時刻ｔ22以
降においてもスラリー供給ユニット６１からスラリー供給が継続され、研磨加工部ではフ
レッシュ・スラリーと循環スラリーとによって基板Ｗの研磨加工が行われる。このような
構成によれば、常に新鮮なスラリーの存在下で研磨加工を行うことができ、かつフレッシ
ュ・スラリーと循環スラリーとの構成比率を適宜に設定することができる。
【００３４】
さて、以上のようにして基板Ｗの研磨加工が実行され研磨加工が終了すると、次に、基
板Ｗに付着したスラリーを除去するリンス洗浄が行われる。リンス洗浄は、スラリー供給
装置６０から純水などの洗浄液（リンス液）を定盤１０に供給して行われる。具体的には
、スラリー供給ユニット６１からライン６２及びノズル６３を介して研磨パッド１２の上
面中央部に洗浄液が供給され、洗浄液を供給しながら基板Ｗと研磨パッド１２とを相対移
動させて、基板Ｗに付着したスラリー、及び研磨パッド１２を含む定盤内のスラリーを洗
い流す。
【００３５】
研磨装置１では、このリンス洗浄を行う際に、定盤１０の外周側に設けられた飛散防止
リング１４０は、上端１４０ｕが研磨パッド１２の上面１２ｕよりも低い第２位置に設定
される。第２位置は、リング上端１４０ｕが研磨パッドの上面１２ｕよりも低い高さ位置
であれば適宜に設定することができ、第２位置を複数設定することも可能である。そこで
、まず図３に示した定盤１０において、第２位置を、研磨パッド１２の上面１２ｕよりも
低くパッド定盤１１の上面１１ｕよりも高い、パッド上面１２ｕとパッド定盤上面１１ｕ
（研磨パッド下面）の中間の高さ位置（図３中に二点鎖線で付記する第２位置Ｐ2）に設
定した場合について説明する。
【００３６】
飛散防止リング１４０が上記第２位置Ｐ2に設定されリンス洗浄が開始されると、研磨
パッド１２の上面中央近傍に供給された洗浄液が、定盤１０の回転に伴う遠心力によって
研磨パッドの上面１２ｕを外周方向に流れ、研磨パッドの上面１２ｕに残留するスラリー
を外周方向に押し流す。このとき、基板Ｗの下面に付着したスラリーが基板と研磨パッド
の相対移動により洗い落され、洗浄液とともにパッド外周に流される。スラリーを含む洗
浄液（洗浄液等という）は研磨パッド１２の外周縁部に到達し、一部は研磨パッドの外周
端部から水平方向に飛散して定盤１０から排出される。
【００３７】
一方、研磨パッド１２の外周端部から流れ落ちてスラリー受容溝１１０に流入した洗浄
液等は、流れ落ちてくる洗浄液等の増加とともにスラリー受容溝１１０から溢れ、飛散防
止リング１４０の上端部を乗り越えて定盤１０から排出される。このとき、飛散防止リン
グ１４０が配設された第２位置Ｐ2は、飛散防止リングの上端１４０ｕが研磨パッドの上
面１２ｕよりも低い高さ位置に設定されているため、溢れ出た洗浄液等が研磨パッド１２
の上面を覆うようなことがない。
【００３８】
また、リンス洗浄時には、定盤１０に内蔵された排出路開閉弁１６５が開放され、上端
がスラリー回収路１３０に接続され他端側が定盤１０から外部に導出されたスラリー排出
路１６０が開放される。このため、スラリー受容溝１１０に流入した洗浄液等は、スラリ
ー回収路１３０に残留するスラリーを洗い流しながらスラリー排出路１６０を流下し、定
盤１０から外部に排出される。これにより、スラリー受容溝１１０及びスラリー回収路１
３０にスラリーが残留したり固化したりすることがない。
【００３９】
なお、スラリー排出路１６０に、液送ポンプ１５０と同様のポンプ（排出ポンプ）を設
け、リンス洗浄時に排出ポンプを駆動してスラリー回収路１３０内に位置する洗浄液等を
吸引して排出するように構成することも好ましい。このような構成によれば、定盤１０の
回転に伴う遠心力の影響を受けることなく、スラリー回収路１３０内に残留するスラリー
を強制的に吸引・排出してより効果的に洗い流すことができる。
【００４０】
上記は、基板Ｗを洗浄液でリンス洗浄する場合について説明したが、研磨パッド１２を
ドレス機構７０によりドレッシングする場合についても同様に構成できる。そこで、以降
、研磨パッド１２をドレッシングする場合の作用について簡明に説明する。ドレッシング
は、スラリー供給ユニット６１からライン６２及びノズル６３を介して研磨パッド１２の
上面中央部に純水などの洗浄液を供給し、研磨パッドの上面１２ｕに当接させたドレス工
具７２を回転させながら揺動または半径方向に往復移動させて、研磨パッド１２とドレス
工具７２とを相対移動させ、研磨パッドの上面１２ｕを平坦にドレスアップする。
【００４１】
研磨装置１では、ドレッシングを行う際にも、飛散防止リング１４０が第２位置に設定
される。ここで、図７にスラリー受容溝の他の構成例を示す。図７は、図３と同様にスラ
リー受容溝の部分を拡大した側断面図である。このスラリー受容溝２１０は、パッド定盤
１１の外周縁部が中央部よりも低く切り欠かれて円環状の段差が形成され、この円環状の
段差の外周面２１０ａ及び底面２１０ｂと、外側を囲む飛散防止リング１４０の内周面１
４０ａとによって円環凹溝状のスラリー受容溝２１０が形成される。このような構成によ
れば、スラリー回収路１３０を簡明かつローコストに形成することができる。
【００４２】
本実施態様において、第２位置を、図７中に共に二点鎖線で示す上部第２位置Ｐ21と下
部第２位置Ｐ22の二か所設定した場合について説明する。ここで、上部第２位置Ｐ21は、
段差の上端（パッド定盤１１の上面１１ｕ）と略同一高さ、下部第２位置Ｐ22は、段差の
下端（スラリー回収溝２１０の底面２１０ｂ）よりも幾分低く設定している。
【００４３】
まず、ドレッシングの開始時には、飛散防止リング１４０が上部第２位置Ｐ21に設定さ
れる。研磨パッド１２の上面中央に供給された洗浄液は、定盤１０の回転に伴う遠心力に
よって外周方向に流れ、ドレッシングにより削り落された研磨パッドの破断片やドレス工
具７２から脱落したダイヤモンド砥粒等を外周方向に押し流す。これらの異物を含む洗浄
液（同様に洗浄液等という）は研磨パッド１２の外周縁部に到達し、一部は研磨パッドの
外周端部から水平方向に飛散して定盤１０から排出される。
【００４４】
研磨パッド１２の外周端部からスラリー受容溝２１０に流入した洗浄液等は、流れ落ち
てくる洗浄液等の増加とともにスラリー受容溝２１０を満たし、ついには飛散防止リング
１４０の上端部を乗り越えて定盤１０から排出される。上部第２位置Ｐ21では、飛散防止
リングの上端１４０ｕがパッド定盤の上面１１ｕ（研磨パッドの下面）と略同一高さに設
定されているため、スラリー受容溝２１０に流入した洗浄液等が再び研磨パッド１２の上
面側に戻るようなことがない。また、ドレッシング時においても、定盤１０に内蔵された
排出路開閉弁１６５が開放され、スラリー排出路１６０が開放される。このため、スラリ
ー受容溝２１０に流入した研磨パッドの破断片やダイヤモンド砥粒等の異物を含む洗浄液
がスラリー排出路１６０を流下して定盤１０から外部に排出される。なお、スラリー排出
路１６０に、液送ポンプ１５０と同様の排出ポンプを設け、ドレッシング時に排出ポンプ
を作動させてスラリー回収路１３０内の洗浄液等を吸引して排出するような構成によれば
、定盤１０の回転に伴う遠心力の影響を受けることなく、異物を含む洗浄液をより効果的
に排出することができる。
【００４５】
ドレッシングを開始して所定時間が経過したドレッシングの終期には、飛散防止リング
１４０が下部第２位置Ｐ22に設定される。飛散防止リング１４０が下部第２位置Ｐ22に設
定されると、スラリー受容溝２１０は外周側の側面が開放されて段差状態になり、研磨パ
ッド１２の外周端部から流れ落ちる洗浄液等が段差の外周面２１０ａ及び底面２１０ｂを
流れ、スラリー受容溝を洗い流すようにして定盤１０から排出される。このため、溝底部
に残留しやすいダイヤモンド砥粒やパッドの削り屑等を洗い流して定盤１０から排出する
ことができる。
【００４６】
以上は、研磨パッド１２をドレッシングする場合を例に説明したが、基板Ｗをリンス洗
浄する場合についても同様に適用することができ、これにより、スラリー受容溝の底部に
残留しがちなダイヤモンド砥粒やパッドの削り屑等を、きれいに洗い流して定盤１０から
排出することができる。
【００４７】
従って、以上説明したような研磨装置によれば、研磨装置の全体構成を複雑化したり、
大型化したりすることなく、スラリーの利用効率を向上させることができる。
【符号の説明】
【００４８】
Ｗ  基板
Ｐ1  第１位置
Ｐ2,Ｐ21,Ｐ22  第２位置
１  研磨装置
１０  定盤
１２  研磨パッド
２０  基板キャリア（基板移動機構）
３０  キャリア移動機構（基板移動機構）
６０  スラリー供給装置
７０  ドレス機構
７２  ドレス工具
１１０，２１０  スラリー受容溝
１２０  スラリー供給路
１３０  スラリー回収路
１４０  飛散防止リング（囲壁）
１５０  液送ポンプ（液送手段）
１６０  スラリー排出路
１６５  排出路開閉弁（排出路開閉手段）
【図１】
2013173225.tif 000003
【図２】
2013173225.tif 000004
【図３】
2013173225.tif 000005
【図４】
2013173225.tif 000006
【図５】
2013173225.tif 000007
【図６】
2013173225.tif 000008
【図７】
2013173225.tif 000009
【図８】
2013173225.tif 000010